(57)【特許請求の範囲】
【請求項１】
底面に吸込開口を有する吸込室を形成した吸込口本体と、前記吸込室に回転自在に設けられるとともに清掃部材を有する回転清掃体とを備え、前記吸込口本体に形成された外気導入口から導入される外気が前記清掃部材に吹き当てられて前記回転清掃体が回転する吸込口体において、
前記外気によって回転する回転清掃体の回転方向と同方向の回転力を前記回転清掃体に付与する駆動モータを設けたことを特徴とする吸込口体。
【請求項２】
前記駆動モータの駆動軸と前記回転清掃体の軸とを同軸上に配置したことを特徴とする請求項１の吸込口体。
【請求項３】
前記吸込室の負圧に応じて前記外気導入口の開口度を調整する風量調整手段を設けたことを特徴とする請求項１ないし請求項２のいずれか記載の吸込口体。
【請求項４】
前記駆動モータをオン・オフするスイッチを設けたことを特徴とする請求項１ないし請求項３のいずれか記載の吸込口体。
【請求項５】
請求項１ないし請求項４のいずれか記載の吸込口体を備えたことを特徴とする電気掃除機。
【発明の詳細な説明】
【０００１】
【発明の属する技術分野】
この発明は、吸込室に回転自在に設けられた回転清掃体を備えた吸込口体と、この吸込口体を備えた電気掃除機に関する。
【０００２】
【従来の技術】
従来から、吸込室に回転自在に設けられた回転清掃体と、この回転清掃体を回転させる駆動モータとを備えた吸込口体が知られている。
【０００３】
かかる吸込口体は、絨毯等に付着した塵埃を回転清掃体が回転しながら掻き上げていくので、塵埃を効率よく吸い込んでいくことができる。
【０００４】
しかしながら、このような吸込口体にあっては、被清掃面が絨毯などの場合、吸込口本体の底面に設けた吸込開口から吸込室へ絨毯が入り込む状態となるため、回転清掃体の負荷が大きくなり、このため、出力の大きな駆動モータと減速機構を設けなければ回転清掃体を回転させることができない。
【０００５】
このため、吸込口体は、その減速機構および出力の大きい駆動モータにより大型化してしまうとともに重くなってしまい、使用勝手が悪くなる等の問題があった。
【０００６】
そこで、吸込口本体に外気導入口を設け、この外気導入口から導入される外気の流速を利用して回転清掃体を回転させる吸込口体が提案されている。このような吸込口体にあっては、駆動モータや減速機構を設けないので、吸込口体を軽くしかも小型化を図ることができる等の利点を有している。
【０００７】
【発明が解決しようとする課題】
ところが、外気導入口から導入される外気の流速だけでは、回転清掃体の回転力を十分に得ることができず、しかも、外気導入口から導入される外気の流速は、吸込室の負圧に大きく左右されるため、電気掃除機本体の集塵室に塵埃が溜まって集塵フィルタに目詰まりが生じてくると、吸込口本体の吸込室の負圧が小さくなり、回転清掃体の回転力はさらに小さくなってしまう等の問題があった。
【０００８】
この発明は、上記問題点に鑑みてなされもので、その目的は、小型軽量化を図ることができ、しかも、集塵フィルタの目詰まりに拘わりなく回転清掃体の回転力を十分に得ることのできる吸込口体と、この吸込口体を備えた電気掃除機を提供することにある。
【０００９】
【課題を解決するための手段】
上記問題点を解決するために、請求項１に記載の発明は、底面に吸込開口を有する吸込室を形成した吸込口本体と、前記吸込室に回転自在に設けられるとともに清掃部材を有する回転清掃体とを備え、前記吸込口本体に形成された外気導入口から導入される外気が前記清掃部材に吹き当てられて前記回転清掃体が回転する吸込口体において、
前記外気によって回転する回転清掃体の回転方向と同方向の回転力を前記回転清掃体に付与する駆動モータを設けたことを特徴とする。
【００１０】
請求項２の発明は、前記駆動モータの駆動軸と前記回転清掃体の軸とを同軸上に配置したことを特徴とする。
【００１１】
請求項３の発明は、前記吸込室の負圧に応じて前記外気導入口の開口度を調整する風量調整手段を設けたことを特徴とする。
【００１２】
請求項４の発明は、前記駆動モータをオン・オフするスイッチを設けたことを特徴とする。
【００１３】
請求項５の発明は、請求項１ないし請求項４のいずれか記載の吸込口体を備えたことを特徴とする電気掃除機。
【００１４】
【発明の実施の形態】
以下、この発明に係る吸込口体および電気掃除機の実施形態を図面に基づいて説明する。
【００１５】
図１において、１０は電気掃除機本体で、この本体１０内には集塵室１２とこの集塵室１２を負圧にする電動送風機１１とが設けられている。集塵室１２には集塵フィルタ１３が設けられている。
【００１６】
１５は一端が電気掃除機本体１０に着脱可能に接続されているホースで、このホース１５の他端には手元操作管１６が設けられている。ホース１５には図示しない信号線と後述する駆動モータ２１に電力を供給する電源ライン（図示せず）とが設けられている。
【００１７】
手元操作管１６には把手部１７が設けられており、この把手部１７に手元操作部１７Ａが設けられている。手元操作部１７Ａには、電動送風機１１の電源を切るオフスイッチＳ1と、電動送風機１１のパワーを弱に設定する弱スイッチＳ2と、電動送風機１１のパワーを強に設定する強スイッチＳ3と、駆動モータ２１をオン・オフするモータスイッチＳ4とが設けられている。
【００１８】
手元操作管１６には延長管１８が着脱可能に接続され、延長管１８の先端部には吸込口体２０が着脱可能に接続されている。吸込口体２０に設けた駆動モータ２１は、弱,強スイッチＳ2,Ｓ3が操作されると駆動するようになっており、また、モータスイッチＳ4を押すとその駆動が停止し、再度モータスイッチＳ4を押すと駆動するようになっている。
【００１９】
吸込口体２０は、図２ないし図５に示すように、吸込口本体３０と、延長管１８に接続されるとともにこの本体３０の後部に設けられ斜め上方に延びた接続管２２とを備えている。この接続管２２は上下方向に回動可能となっている。
【００２０】
吸込口本体３０内には、底面に吸込開口３３を有する吸込室３５と、この吸込室３５の左側にモータ室３２とが区画形成され、吸込室３５は吸込風路３６を介して接続管２２に連通されている。また、吸込室３５には回転清掃体４０が回転自在に配置されている。
【００２１】
吸込口本体３０の上壁３１には、接続管２２を挟む両側位置に左右方向に延びたスリット状の外気導入口６１,６１が形成されており、上壁３１の内側には弾性を有する閉塞板（風量調整手段）７０が取けられている。この閉塞板７０,７０は、外気導入口６１,６１を常時閉塞しており、吸込室３５が負圧になると、鎖線に示すように開き、外気導入口６１,６１から外気が導入される。そして、外気導入口６１,６１から導入される風量に比例してその閉塞板７０,７０の開き度合い、すなわち、外気導入口６１,６１の開度が調整されるようになっている。
【００２２】
外気導入口６１,６１から導入された外気は回転清掃体４０のブレード４１に吹き当たって回転清掃体４０を反時計方向（図５において）へ回転させる。
【００２３】
また、吸込口本体３０の上には、帯状のカバー６５が着脱自在に取り付けられており、このカバー６５によって外気導入口６１,６１の上方を覆っており、外側から外気導入口６１,６１が見えないようになっている。なお、図１および図３,４においてカバー６５は省略してある。
【００２４】
モータ室３２には、回転清掃体４０の回転方向である反時計方向（図４及び図５において）の回転力を付与する駆動モータ２１が設けられており、この駆動モータ２１の駆動軸Ｍａには駆動カップリング４５が設けられている。他方、回転清掃体４０の軸４２の端部４２Ａには従動カップリング４６が設けられており、この従動カップリング４６と駆動カップリング４５とが互いに連結されていて、駆動モータ２１の駆動軸Ｍａと回転清掃体４０の軸４２とがカップリング４５,４６を介して直結されている。そして、駆動モータ２１の駆動軸Ｍａと回転清掃体４０の軸４２とが同軸上に配置されている。また、軸４２の端部４２Ａは、カップリング４５,４６を介して駆動モータ２１の駆動軸Ｍａに保持されている。
【００２５】
回転清掃体４０の軸４２の他方の端部４２Ｂは軸受け４３によって回転自在に保持されている。
【００２６】
駆動カップリング４５は、例えば図６に示すように、駆動モータ２１の駆動軸Ｍａに嵌合する軸部４７に円板４８を設け、この円板４８に軸部４７と同軸上に突起４９を設け、この突起４９の周囲に複数の突起５０を設けたものである。
【００２７】
従動カップリング４６は、回転清掃体４０の軸４１の端部４１Ａに固定される軸部５１に円板５２を設け、この円板５２に駆動カップリング４５の突起４９,５０を嵌入させる孔５３,５４を設けたものである。孔５３は軸部５１と同軸上に位置している。
【００２８】
そして、駆動カップリング４５の突起４９,５０を従動カップリングの孔５３,５４に嵌入させることにより、駆動カップリング４５と従動カップリング４６とを連結するものである。
【００２９】
次に、上記のように構成される吸込口体および電気掃除機の動作について説明する。
【００３０】
手元操作部１７Ａの強,弱スイッチＳ3,Ｓ2を操作すると、電動送風機１１が駆動されて集塵室１２が負圧になり、ホース１５,延長管１８,接続管２２および吸込風路３６を介して吸込室３５が負圧となる。吸込口本体３０の吸込開口３３から外気とともに塵埃が吸引されていき、この塵埃および外気が吸込室３５,吸込風路３６,接続管２２および延長管１８等を介して本体１０の集塵室１２へ吸引されていき、塵埃が集塵フィルタ１３に集塵されていく。
【００３１】
一方、電動送風機１１が駆動されると駆動モータ２１は駆動されて回転清掃体４０を反時計方向（図４および図５において）へ回転させていくが、吸込室３５の負圧により閉塞板７０,７０が開いて、矢印に示すように外気が外気導入口６１,６１から導入されて回転清掃体４０のブレード４１に吹き当たり、回転清掃体４０は反時計方向へ回転していく力を受ける。このため、駆動モータ２１の出力は小さくても回転清掃体４０を回転させていくことができ、しかも、回転清掃体４０を回転させるための回転トルクも小さくてよいため、減速ギアなどを設けずに回転清掃体４０を回転させることができる。
【００３２】
回転清掃体４０は回転によって絨毯などに付着している塵埃を掻き上げていき、この掻き上げられた塵埃が外気とともに吸込風路３６,接続管２２および延長管１８等を介して本体１０の集塵室１２へ吸引されて集塵フィルタ１３に集塵されていく。
【００３３】
集塵フィルタ１３に塵埃が集塵されて目詰まりが発生すると、吸込室３５の負圧が低下し、この結果、閉塞板７０,７０の開き度合いが小さくなり、外気導入口６１,６１から導入される風量が小さくなる。しかし、回転清掃体４０は駆動モータ２１の駆動によって回転されているので、その風量が小さくなっても回転清掃体４０の回転力は十分に得られ、絨毯などに付着している塵埃を掻き上げていくことができる。
【００３４】
ところで、吸込室３５の負圧が大きい場合、絨毯などが持ち上げられて吸込開口３３から吸込室３５へ入り込み、吸込口本体３０が絨毯に吸い付いてしまう状態となるとともに、吸込室３５へ入り込む絨毯により回転清掃体４０の負荷が大きくなるが、吸込室３５の負圧が大きいことにより閉塞板７０,７０の開き度合いが大きくなり、外気導入口６１,６１から導入される風量が大きくなる。このため、吸込室３５の負圧が減少し、絨毯などが持ち上げられて吸込開口３３から吸込室３５へ入り込むことが防止される。この結果、吸込口本体３０の吸い付きが防止され、吸込口本体３０の移動が容易となり、吸込口本体３０の操作性が向上する。さらに、絨毯などが吸込室３５へ入り込むことが防止されることにより、回転清掃体４０の負荷が減少し、回転清掃体４０を所定の回転力で回転させることができる。
【００３５】
すなわち、吸込室３５の負圧に応じて、閉塞板７０,７０により外気導入口６１,６１の開口度が調整されるため、吸込室３５の負圧の大きさに拘わりなく、常に吸込口本体３０の操作性を向上させることができるとともに回転清掃体４０を所定の回転力で回転させることができる。
【００３６】
また、床板面などを掃除する場合、モータスイッチＳ4を押すと駆動モータ２１の駆動が停止され、駆動モータ２１がブレーキとして作用するので、回転清掃体４０は低速で回転していくことになり、その床板面を傷つけてしまうことを防止することができる。
【００３７】
この実施形態によれば、駆動モータ２１の出力は小さくて済むとともに、減速ギアなどを設けずに駆動モータ２１の駆動軸Ｍａと回転清掃体４０の軸４２とをカップリング４５,４６を介して直結させているため、吸込口体の小型軽量化を図ることができる。また、減速ギアなどを必要とせず、しかも、回転清掃体４０の軸４２の端部４２Ａが駆動モータ２１の駆動軸Ｍａに保持されているため、その端部４２を保持する軸受けを設けずに済むため、部品点数を大幅に減少させることができ、安価な吸込口体および電気掃除機を提供することができる。
【００３８】
【発明の効果】
以上説明してきたように、請求項１の発明によれば、外気によって回転する回転清掃体の回転方向と同方向の回転力を前記回転清掃体に付与する駆動モータを設けたものであるから、吸込口体の小型軽量化を図ることができ、しかも、集塵フィルタの目詰まりに拘わりなく回転清掃体の回転力を十分に得ることができる。
【００３９】
請求項２の発明によれば、駆動モータの駆動軸と回転清掃体の軸とを同軸上に配置したものであるから、その駆動軸と回転清掃体の軸とを直結することができ、このため、部品点数を減らすことができ、さらに、吸込口体の小型軽量化を図ることができる。
【００４０】
請求項３の発明によれば、吸込室の負圧に応じて外気導入口の開口度を調整する風量調整手段を設けたものであるから、吸込室の負圧に応じて、風量調整手段によって外気導入口の開口度が調整されるため、吸込室の負圧の大きさに拘わりなく、常に吸込口本体の操作性を向上させることができるとともに回転清掃体を所定の回転力で回転させることができる。
【００４１】
請求項４の発明によれば、駆動モータをオン・オフするスイッチを設けたものであるから、回転清掃体を低速で回転させることができ、床板面を傷つけてしまうことを防止することができる。
【００４２】
請求項５の発明によれば、請求項１ないし請求項４の効果を得ることのできる電気掃除機を提供することができる。
【図面の簡単な説明】
【図１】この発明に係る電気掃除機の実施の形態を示した斜視図である。
【図２】この発明に係る吸込口体を示した平面図である。
【図３】図２に示す吸込口体の一部を省略した平面図である。
【図４】図２の吸込口体の構成を示した断面図である。
【図５】外気導入口と回転清掃体との位置関係を示した断面図である。
【図６】カップリングの構成を示した説明図である。
【符号の説明】
２０    吸込口体
２１    駆動モータ
３０    吸込口本体
３３    吸込開口
３５    吸込室
４０    回転清掃体
【図１】
0003653624.tif 000002
【図２】
0003653624.tif 000003
【図３】
0003653624.tif 000004
【図４】
0003653624.tif 000005
【図５】
0003653624.tif 000006
【図６】
0003653624.tif 000007